(57)【要約】【課題】プロジェクターの操作性を改善したリモートコントローラーを提供する。【解決手段】プロジェクターのリモートコントローラーは、プロジェクターを遠隔操作するための入力操作を受け付ける操作部１０と、入力操作に対応する操作信号を生成するＣＰＵ１１と、第１の範囲に操作信号に対応する赤外光を発射する第１のＩＲ発光部１４ａと、第１の範囲とは異なる第２の範囲に操作信号に対応する赤外光を発射する第２のＩＲ発光部１４ｂと、を備え、第１の範囲と第２の範囲とが、互いに重ならないように第１のＩＲ発光部１４ａと第２のＩＲ発光部１４ｂとが設置されている。【選択図】図１
2012129683.tif 000002
【特許請求の範囲】
【請求項１】
プロジェクターのリモートコントローラーであって、
前記プロジェクターを遠隔操作するための入力操作を受け付ける操作部と、
前記入力操作に対応する操作信号を生成する操作信号生成部と、
第１の範囲に前記操作信号に対応する赤外光を発射する第１のＩＲ発光部と、
前記第１の範囲とは異なる第２の範囲に前記操作信号に対応する赤外光を発射する第２のＩＲ発光部と、を備え、
前記第１の範囲と前記第２の範囲とが、互いに重ならないように前記第１のＩＲ発光部および第２のＩＲ発光部が設置されていることを特徴とするリモートコントローラー。
【請求項２】
前記リモートコントローラーは、
前記操作部が設けられた略長方形の面と、
前記略長方形の面の長手方向における一方の端部と接続される第１の面と、
前記略長方形の面の長手方向における他方の端部と接続される第２の面とを有し、
前記第１のＩＲ発光部は、前記第１の面に設けられ、前記第２のＩＲ発光部は、前記第２の面に設けられていることを特徴とする請求項１に記載のリモートコントローラー。
【請求項３】
前記略長方形の面に設けられた第３のＩＲ発光部を更に備えていることを特徴とする請求項２に記載のリモートコントローラー。
【請求項４】
前記各ＩＲ発光部は、それぞれ異なるタイミングで前記赤外光を発射することを特徴とする請求項１ないし３のいずれか一項に記載のリモートコントローラー。
【請求項５】
前記操作部は、前記プロジェクターの主電源のＯＮ・ＯＦＦを切替えるための電源キーを備え、
前記電源キーに対する操作に基づく操作信号は、前記第１のＩＲ発光部から発射されることを特徴とする請求項１ないし４のいずれか一項に記載のリモートコントローラー。
【発明の詳細な説明】
【技術分野】
【０００１】
本発明は、プロジェクターを遠隔操作するためのリモートコントローラーに関する。
【背景技術】
【０００２】
リモートコントローラーに設けられたＩＲ（Ｉｎｆｒａｒｅｄ）発光部から発射される操作信号を確実に受信できるよう、複数のＩＲ受光部を備えたプロジェクターが提案されているが、従来のリモートコントローラーには、ある特定の範囲に赤外光を発射できるようにＩＲ発光部が設置されているため、リモートコントローラーのＩＲ発光部が設けられた面を、プロジェクターのＩＲ受光部に向けて、ＩＲ光を発射する必要があった。
【先行技術文献】
【特許文献】
【０００３】
【特許文献１】特開２００９−７７３５２号公報
【発明の概要】
【発明が解決しようとする課題】
【０００４】
しかしながら、プロジェクターのユーザーは、必ずしもプロジェクターのＩＲ受光部に対向する位置でリモートコントローラーを操作できるとは限らない。例えば、スクリーンとプロジェクターとの間に立ち、プロジェクターから投射されるメニュー画像を見ながら、リモートコントローラーを操作することがある。このような場合、従来のプロジェクターのユーザーは、リモートコントローラーをプロジェクターのＩＲ受光部に向けつつ、顔をスクリーンに向けて、投射されるメニュー画面を確認しなければならず、利便性が悪いという課題があった。
【０００５】
本発明は、上述した従来の課題の少なくとも一部を解決するためになされた発明であり、リモートコントローラーを用いたプロジェクターの操作性を改善することを目的とする。
【課題を解決するための手段】
【０００６】
［適用例１］本適用例にかかるリモートコントローラーは、プロジェクターのリモートコントローラーであって、前記プロジェクターを遠隔操作するための入力操作を受け付ける操作部と、前記入力操作に対応する操作信号を生成する操作信号生成部と、第１の範囲に前記操作信号に対応する赤外光を発射する第１のＩＲ発光部と、前記第１の範囲とは異なる第２の範囲に前記操作信号に対応する赤外光を発射する第２のＩＲ発光部と、を備え、前記第１の範囲と前記第２の範囲とが、互いに重ならないように前記第１のＩＲ発光部および第２のＩＲ発光部が設置されていることを特徴とする。
【０００７】
これによれば、第１のＩＲ発光部から赤外光が発射される範囲内に操作対象であるプロジェクターがなくても、第２のＩＲ発光部から赤外光が発射される範囲内に操作対象であるプロジェクターがあれば、リモートコントローラーの向きを変えることなく、プロジェクターを確実に操作することができる。
【０００８】
［適用例２］上記適用例にかかるリモートコントローラーにおいて、前記リモートコントローラーは、前記操作部が設けられた略長方形の面と、前記略長方形の面の長手方向における一方の端部と接続される第１の面と、前記略長方形の面の長手方向における他方の端部と接続される第２の面とを有し、前記第１のＩＲ発光部は、前記第１の面に設けられ、前記第２のＩＲ発光部は、前記第２の面に設けられていることを特徴とする。
【０００９】
これによれば、リモートコントローラーの操作部を有する面の長手方向における一方の面に第１のＩＲ発光部が、他方の面に第２のＩＲ発光部がそれぞれ設けられているので、プロジェクターのユーザーは、スクリーンとプロジェクターとの間に立ち、操作対象であるプロジェクターに背を向けた状態でも、確実にプロジェクターを操作することができる。
【００１０】
［適用例３］上記適用例にかかるリモートコントローラーにおいて、前記略長方形の面に設けられた第３のＩＲ発光部を更に備えていることを特徴とする。
【００１１】
一般的に、リモートコントローラーの操作者は、手元のリモートコントローラーの操作部を見ながら入力操作を行なう。したがって、立位または座位の自然な姿勢でリモートコントローラーを操作する場合、リモートコントローラーの操作部は、略鉛直上向きの方向を向くことになる。したがって、この適用例によれば、リモートコントローラーの操作部を有する面に設けられたＩＲ発光部から赤外光が射出されるため、プロジェクターが天井に設置されている場合においても、リモートコントローラーを不自然に傾けることなく、確実にプロジェクターを操作することが可能となる。
【００１２】
［適用例４］上記適用例にかかるリモートコントローラーにおいて、前記各ＩＲ発光部は、それぞれ異なるタイミングで前記赤外光を発射することを特徴とする。
【００１３】
これによれば、リモートコントローラーに設けられた複数のＩＲ発光部は、同一のタイミングで赤外光を発射しないため赤外光の干渉が生じない。したがって、プロジェクター側のＩＲ受光部に、リモートコントローラー側に設けられた複数のＩＲ発光部からの赤外光が入射したとしても、プロジェクターは受光した赤外光が表すコマンドを正確に解読して実行することができる。
【００１４】
［適用例５］上記適用例にかかるリモートコントローラーにおいて、前記操作部は、前記プロジェクターの主電源のＯＮ・ＯＦＦを切替えるための電源キーを備え、前記電源キーに対する操作に基づく操作信号は、前記第１のＩＲ発光部から発射されることを特徴とする。
【００１５】
これによれば、プロジェクターの主電源をＯＮまたはＯＦＦにするための操作は、リモートコントローラーに設けられた特定のＩＲ発光部からのみ発射されるので、ユーザーの意図しない誤操作により、プロジェクターの電源がＯＮにされたり、ＯＦＦにされたりする虞がない。
【図面の簡単な説明】
【００１６】
【図１】本実施形態のリモートコントローラーの概略構成を示すブロック図。
【図２】本実施形態のリモートコントローラーの外観を示す図であり、（ａ）は上面図、（ｂ）は斜視図であり、（ｃ）は他の実施形態のリモートコントローラーの外観を示す斜視図。
【図３】本実施形態のプロジェクターの概略構成を示すブロック図。
【図４】（ａ）は本実施形態のプロジェクターをフロントパネル側から見た斜視図であり、（ｂ）は本実施形態のプロジェクターをリアパネル側から見た斜視図。
【図５】本実施形態のリモートコントローラーを使用するユーザーとプロジェクターおよびスクリーンの位置関係を示す図。
【図６】本実施形態のリモートコントローラーがＩＲ発光部から制御信号を発射する処理を説明するフローチャート。
【発明を実施するための形態】
【００１７】
（第１実施形態）
以下、本発明の第１実施形態を図面に基づいて説明する。
【００１８】
図１は、本実施形態におけるリモートコントローラー１の概略構成を示すブロック図である。リモートコントローラー１は、操作部１０、ＣＰＵ（Ｃｅｎｔｒａｌ  Ｐｒｏｃｅｓｓｉｎｇ  Ｕｎｉｔ）１１、記憶部１２、リモートコントローラー１の各部に電力を供給する電源１３、ＩＲ発光部１４、外装筐体１５等を備えている。
ＩＲ発光部１４は、第１のＩＲ発光部１４ａ、第２のＩＲ発光部１４ｂ、第３のＩＲ発光部１４ｃにより構成される。
ここで、記憶部１２は、ＲＡＭ（Ｒａｎｄｏｍ  Ａｃｃｅｓｓ  Ｍｅｍｏｒｙ）１２１、ＲＯＭ（Ｒｅａｄ  Ｏｎｌｙ  Ｍｅｍｏｒｙ）１２２等で構成することができる。また、書き換え可能な不揮発性半導体メモリーの一種であるＦｌａｓｈＭｅｍｏｒｙを採用することもできる。電源１３として、交換可能な乾電池や、充電可能なバッテリー等を採用することができる。
【００１９】
図２（ａ）は、本実施形態におけるリモートコントローラー１の操作部１０を示す図である。操作部１０は、後述するプロジェクター２を遠隔操作するための各種操作ボタンを備えている。具体的には、プロジェクター２の主電源のＯＮ／ＯＦＦを切替えるための電源ボタン１０１と、方向指示キーを含むポインティングデバイス１０２と、電子ズームボタン１０３と、ページ送り・戻しボタン１０４と、音声ボリューム１０５と、ソース選択ボタン１０６と、その他のファンクションキー１０７等を備えていることが好ましい。
【００２０】
図２（ｂ）は、本実施形態におけるリモートコントローラー１の斜視図である。リモートコントローラー１は略直方体の外装筐体１５を有している。第１の範囲ＩＲ１に赤外光を射出する第１のＩＲ発光部１４ａが、操作部１０を有する面と稜線を共有する側面の一つに設けられている。また、第２の範囲ＩＲ２に赤外光を射出する第２のＩＲ発光部１４ｂが、第１のＩＲ発光部１４ａが設けられた側面と略対向する側面に設けられている。
ここで、第１の範囲ＩＲ１および第２の範囲ＩＲ２は、それぞれ第１のＩＲ発光部１４ａおよび第２のＩＲ発光部１４ｂから射出される赤外光の光軸を中心とする略楕円錐状の空間である。略楕円錐状の空間の頂角θは、約３０°から４０°であることが好ましい。
さらに、図２（ａ）に示すように、操作部１０を有する面には、第３の範囲ＩＲ３に赤外光を射出する第３のＩＲ発光部１４ｃが設けられている。なお、第３の範囲ＩＲ３は、第１の範囲ＩＲ１または第２の範囲ＩＲ２と、部分的に重複してもよい。なお、第１のＩＲ発光部１４ａと第２のＩＲ発光部１４ｂは、それぞれ外装筐体１５の長手方向の一方の端部と他方の端部に設置されているものとする。このような構成は、ユーザーがリモートコントローラー１を握って操作する際に、赤外光の射出を妨げない。
【００２１】
操作部１０に設けられた各ボタンを押下することにより、ボタンへの入力操作は図示しない回路基板に設けられたスイッチに伝達され、電気接点をＯＮ／ＯＦＦする。各ボタンに対応するスイッチは、電気接点がＯＮされることにより、それぞれ固有の電圧の電気信号をＣＰＵ１１に入力するように構成されている。ＣＰＵ１１は、本発明の操作信号生成部として機能する。ＣＰＵ１１は、入力される電気信号をＡＤ変換して得られるデジタル値をインデックスとして、操作部１０への入力操作に対応するパルス列を記憶したパルス列テーブルを参照し、所定のパルス列データを取得する。パルス列データは、ＣＰＵ１１が有する不図示の出力ポートから、所定の電圧のパルス列としてＩＲ発光部１４のそれぞれに出力される。
【００２２】
ＲＯＭ１２２には制御プログラムが記憶されており、リモートコントローラー１が起動すると、ＣＰＵ１１は制御プログラムを実行し、リモートコントローラー１全体を制御する。ＲＯＭ１２２には、さらにパルス列テーブルが格納されている。ＣＰＵ１１は、制御プログラムにしたがって、ＲＯＭ１２２に格納されているパルス列テーブルの内容を読み出してＲＡＭ１２１の所定のアドレスに転送する。
【００２３】
ＩＲ発光部１４は、入力されるパルス列にしたがって、不図示の赤外線ＬＥＤ（Ｌｉｇｈｔ  Ｅｍｉｔｔｉｎｇ  Ｄｉｏｄｅ）を点滅させることにより、操作部１０への入力操作に対応する操作信号を発射する。
【００２４】
図３は、本実施形態のプロジェクター２の概略構成を示すブロック図である。
プロジェクター２は、図３に示すように、操作部（操作パネル）２０、ＣＰＵ２１、記憶部２２、プロジェクター２の各部に電力を供給する電源２３、ＩＲ受光部２４、画像信号入力部２５、画像信号処理部２６、光変調素子駆動部２７、投射光学装置２８、外装筐体２９等を備えている。
ＩＲ受光部２４は、第１のＩＲ受光部２４ａ、第２のＩＲ受光部２４ｂ、第３のＩＲ受光部２４ｃにより構成される。
記憶部２２は、ＲＡＭ２２１、ＲＯＭ２２２等で構成することができる。また、書き換え可能な不揮発性半導体メモリーの一種であるＦｌａｓｈＭｅｍｏｒｙを採用することもできる。
【００２５】
ＲＯＭ２２２には制御プログラムが記憶されており、プロジェクター２が起動すると、ＣＰＵ２１は制御プログラムを実行し、プロジェクター２全体を制御する。ＲＡＭ２２１は、ＣＰＵ２１が制御プログラムを実行するためのワークエリアを提供するほか、画像信号処理部２６が画像信号入力部２５から入力された画像信号に基づく画像情報を一時的に記憶するためフレームバッファーとしても利用される。
【００２６】
画像信号入力部２５は、図４（ｂ）に示すように、種々の画像信号フォーマットに対応するよう、複数の画像信号入力端子を備えており、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＰＣ入力（アナログＲＧＢ）、コンポジット信号等に対応していることが好ましい。さらに、ＣＰＵ２１からの指示に従って、投射する画像のソース（画像入力端子）を選択するソース選択部としての機能を有していることが好ましい。
【００２７】
画像信号処理部２６は、画像信号入力部２５から入力される画像信号に所定の画像処理を施し、光変調素子駆動部２７に出力する。具体的には、色空間の変換（輝度色差空間−ＲＧＢ空間）、アナログ形式の信号をデジタル形式に変換するＡＤ変換、画像の解像度を変換するスケーリング、インターレース形式の信号をプログレッシブ形式の信号に変換するＩＰ変換、プロジェクター２とスクリーンＳＣとの相対的な位置関係によって発生する台形歪みを補正するためのキーストーン処理等が行われる。
【００２８】
光変調素子駆動部２７は、画像信号処理部２６から入力される画像信号に基づいて、後述する光変調素子２８５を駆動するための駆動信号を生成し、出力する。
【００２９】
投射光学装置２８は、光源駆動部２８１、光源２８２、照明光学系２８３、分離光学系２８４、光変調素子２８５、合成光学系２８６、投射レンズ２８７等で構成することができる。
光源駆動部２８１は、後述する光源２８２の点灯状態を制御する。より具体的には、ＣＰＵ２１から光源２８２の点灯指示が与えられると、電源２３から供給される電力を用いて光源２８２を点灯させる。また、ＣＰＵ２１から光源２８２の消灯指示が与えられると、光源２８２に対する電力供給を停止する。
【００３０】
光源２８２は、白色光を射出する高圧水銀ランプ等の放電灯及び反射鏡であるリフレクターで構成することができる。光源２８２から射出された光束は、照明光学系２８３を経て、分離光学系２８４に入射する。
【００３１】
分離光学系２８４は、入射した白色光を、所定の波長の光を反射するダイクロイックミラー（不図示）を用いて、赤色光（Ｒ光）、緑色光（Ｇ光）および青色光（Ｂ光）に分離する。分離光学系２８４により分離された各色光は、それぞれ、光変調素子２８５の図示しない光変調面を照明する。
【００３２】
光変調素子２８５は、光変調素子駆動部２７によって駆動され、不図示の光変調面に照射される照明光を画像光に変調する。本実施形態においては、Ｒ光、Ｇ光およびＢ光を、それぞれ独立させて変調するために３個の光変調素子２８５を用いるものとする。３個の光変調素子２８５を用いる構成によれば、光の利用効率が高いため、投射される画像の明るいプロジェクターを提供することができる。また、そのようなプロジェクターは、原理的にカラーブレークアップが発生することがない。
ここで、光変調素子２８５は、透過型の液晶パネルを用いて構成することができる。なお、光変調素子２８５は、透過型の液晶パネルに限定されるものではなく、例えば、反射型の液晶パネルや、マイクロミラーを用いたデバイス等、液晶以外の構成を採用することができる。
【００３３】
光変調素子２８５によって変調された光は、合成光学系２８６によって合成され、投射レンズ２８７から画像光としてスクリーンＳＣに投射される。投射レンズ２８７は、図示しない筒状の鏡筒内に複数のレンズが収納された組レンズとして構成されている。投射レンズ２８７は、焦点を合わせるためのフォーカスリング２８７１と、投射画像の画角を調整するズームリング２８７２とを備えていることが好ましい。フォーカスリング２８７１は、手動により投射レンズ２８７の鏡筒の周方向に沿って回転可能に構成され、回転することで、不図示のフォーカスレンズを投射画像の焦点位置を調整するために鏡筒の光軸に沿って進退するように移動させる。ズームリング２８７２は、手動により投射レンズ２８７の鏡筒の周方向に沿って回転可能に構成され、回転することで、不図示のズームレンズを光軸方向に移動させる。これにより、各レンズの相対位置を変更し（ズーム状態を変更し）、投射画像のズーム比が調整される。
【００３４】
図４（ａ）は、本実施形態のプロジェクターをフロントパネル側から見た斜視図であり、図４（ｂ）は、本実施形態のプロジェクターをリアパネル側から見た斜視図である。
プロジェクター２は、図４に示すように、全体略直方体の形状を有する外装筐体２９を備えている。本実施形態では外装筐体２９は合成樹脂により形成されている。この外装筐体２９は、プロジェクター２の天面、前面（フロントパネル）、背面（リアパネル）、及び側面をそれぞれ構成するアッパーケース、及びプロジェクター２の主に底面を構成するロアーケース等で構成される。外装筐体２９の側面には、それぞれプロジェクター２の構成部品を冷却するための外気を外装筐体２９内部に導入する吸気口が設けられている。
【００３５】
外装筐体２９のフロントパネルには、図４（ａ）に示すように、画像情報に基づく画像をスクリーンＳＣに投射する投射レンズ２８７を露出させるための開口が設けられている。また、リモートコントローラー１から発射された赤外光を受光するための第１のＩＲ受光部２４ａが設けられている。さらに、プロジェクター２の外装筐体２９内部から高温の空気を排出するための排気口が、それぞれ設けられている。
【００３６】
外装筐体２９の背面には、図４（ｂ）に示すように、リモートコントローラー１から発射された赤外光を受光するための第２のＩＲ受光部２４ｂが設けられている。また、種々の画像信号フォーマットに対応するよう、複数の画像信号入力端子（画像信号入力部２５）が備えられている。
【００３７】
外装筐体２９の天面には、図４に示すように、プロジェクター２の種々の操作を行う複数の操作ボタンを備えた操作パネル（操作部）２０が配設されている。この操作パネル２０に対する入力操作は、図示しない回路基板に設けられたスイッチに伝達され、電気接点をＯＮ／ＯＦＦする。各ボタンに対応するスイッチは、電気接点がＯＮされることにより、それぞれ固有の電圧の電気信号をＣＰＵ２１に入力するように構成されている。さらに、外装筐体２９の天面には、フォーカスリング２８７１およびズームリング２８７２を露出させるための開口が設けられている。また、リモートコントローラー１から発射された赤外光を受光するための第３のＩＲ受光部２４ｃが設けられている。
なお、ＩＲ受光部２４は図示しない回路基板上に設けられた赤外光受光素子と、当該赤外光受光部に赤外光を導くための開口部とから構成されているものとする。
【００３８】
次に本実施形態のリモートコントローラー１を用いたプロジェクター２の操作方法について説明する。
【００３９】
図５は、リモートコントローラー１を用いてプロジェクター２を操作する際の、オペレーター（ユーザー）とプロジェクター２、及びスクリーンＳＣとの位置関係を示す図である。
【００４０】
図５（ａ）は、プロジェクター２を、演台や机上に載置する場合を表している。オペレーターは、プロジェクター２とスクリーンＳＣとの間に立ち、プロジェクター２に背を向け、スクリーンＳＣに正対している。オペレーターは、プロジェクター２の各種設定を変更するために、プロジェクター２を使ってメニュー画面をスクリーンＳＣに投射している。
ここで、リモートコントローラー１は、操作信号を、第１のＩＲ発光部１４ａからだけでなく、第２のＩＲ発光部１４ｂからも発射することができるので、オペレーターがプロジェクター２に背を向けた状態でも、リモートコントローラー１は、操作部１０への入力操作に対応する操作信号を、プロジェクター２の第１のＩＲ受光部２４ａに送信することができる。
【００４１】
図５（ｂ）は、プロジェクター２を、天吊金具を用いて天井から吊り下げて使用する場合を表している。オペレーターは、プロジェクター２の下に立ち、スクリーンＳＣに正対している。オペレーターは、プロジェクター２の各種設定を変更するために、プロジェクター２を使ってメニュー画面をスクリーンＳＣに投射している。ここで、リモートコントローラー１は、操作信号を、第１のＩＲ発光部１４ａからだけでなく、第３のＩＲ発光部１４ｃからも発射することができるので、オペレーターがプロジェクター２に向けてリモートコントローラー１を傾けなくても、操作部１０への入力操作に対応する操作信号を、プロジェクター２の第３のＩＲ受光部２４ｃに送信することができる。
【００４２】
次に、図６を参照して、リモートコントローラー１が、操作部１０への入力操作に対応する操作信号をＩＲ発光部１４から発射するまでの処理の流れを説明する。
【００４３】
リモートコントローラー１のＣＰＵ１１は、電源１３の容量、すなわちバッテリー残量をチェックし（ステップＳ１００）、バッテリー残量が不十分なら（ステップＳ１００：Ｎｏ）、処理を終了する。
バッテリー残量が十分なら（ステップＳ１００：Ｙｅｓ）、操作部１０に対して入力操作があったか否かを判定する（ステップＳ１０２）。操作部１０に対して入力操作がなかった場合（ステップＳ１０２：Ｎｏ）、ステップＳ１００に戻る。
【００４４】
操作部１０に対して入力操作があった場合は（ステップＳ１０２：Ｙｅｓ）、当該入力操作が、電源ボタン１０１に対する操作であったか否かを判定する（ステップＳ１０４）。
この判定は、操作部１０への入力操作に対応する電気信号がＣＰＵ１１に入力されたときに行なわれる。具体的には、ＣＰＵ１１の図示しない入力ポートに入力される電気信号をＡＤ変換して得られるデジタル値をインデックスとして、操作部１０への入力操作に対応するパルス列を記憶したパルス列テーブルを参照し、所定のパルス列データを取得するとともに、ＣＰＵ１１に入力された電気信号に対応する入力操作の種類を判定する。
【００４５】
入力操作が電源ボタン１０１に対する操作であった場合は（ステップＳ１０４：Ｙｅｓ）、第１のＩＲ発光部１４ａから、プロジェクター２の主電源のＯＮ／ＯＦＦを制御する電源制御信号を発射させ（ステップＳ１０６）、ステップＳ１００に戻る。
【００４６】
入力操作が電源ボタン１０１に対する操作でなかった場合は（ステップＳ１０４：Ｎｏ）、第１のＩＲ発光部１４ａから、入力操作に対応する操作信号を発射し（ステップＳ１０８）、所定の時間だけ処理を中断（ＷＡＩＴ）する（ステップＳ１１０）。
【００４７】
その後、第２のＩＲ発光部１４ｂから、入力操作に対応する操作信号を発射し（ステップＳ１１２）、再び所定の時間だけ処理を中断（ＷＡＩＴ）し（ステップＳ１１４）、第３のＩＲ発光部１４ｃから、入力操作に対応する操作信号を発射する（ステップＳ１１６）。その後、ステップＳ１００に戻る。
【００４８】
ステップＳ１１０およびステップＳ１１４において、処理を中断（ＷＡＩＴ）する時間は、適宜に設定することができる。例えば、第１のＩＲ発光部１４ａから所定の入力操作に対応する操作信号が発射された後、第２のＩＲ発光部１４ｂが所定の入力操作に対応する操作信号を発射するまでの間に、操作信号のパルス列の長さに相当する時間を開けてもよい。
【００４９】
上述した実施形態によれば、リモートコントローラー１は、第１のＩＲ発光部１４ａと第２のＩＲ発光部１４ｂとを備えており、それぞれ異なる第１の範囲ＩＲ１と第２の範囲ＩＲ２とに操作信号を発射するので、一箇所からしか操作信号を出力することのできない従来のリモートコントローラーを使用した場合と比べて、利便性が高い。
【００５０】
また、上述した実施形態によれば、リモートコントローラー１は、操作部１０が設けられた面に第３のＩＲ発光部１４ｃを備えているので、操作対象であるプロジェクター２が天井に設置されている場合でも、オペレーター（ユーザー）は、プロジェクター２を操作するために、リモートコントローラー１を不自然に傾ける必要がない。
【００５１】
また、上述した実施形態によれば、リモートコントローラー１は、操作部１０への入力操作に対応する操作信号を、第１のＩＲ発光部１４ａ、第２のＩＲ発光部１４ｂおよび第３のＩＲ発光部１４ｃから、それぞれ異なるタイミングで発射するので、操作対象であるプロジェクター２のＩＲ受光部２４に届いた操作信号の波形がひずむ虞がない。したがって、確実にプロジェクター２を操作することができる。
【００５２】
また、上述した実施形態によれば、リモートコントローラー１は、電源ボタン１０１への入力操作に限り、プロジェクター２の主電源のＯＮ／ＯＦＦを制御するための操作信号を第１のＩＲ発光部１４ａからのみ発射する。したがって、誤操作によりプロジェクター２を点灯させたり消灯させたりする虞が少ない。
【００５３】
なお、上述した実施例では、リモートコントローラー１の操作部１０は、押下されることによって、図示しない回路基板上に設けられたスイッチに入力操作を伝達するものを例示したが、発明はこれに限定されない。例えば、操作部１０として、液晶タッチパネルを採用することができる。このような構成によれば、オペレーター（ユーザー）による入力操作を支援するために、モードに応じて操作可能なボタンだけを表示させることができるため、より利便性を高めることができる。
【００５４】
また、上述した実施形態では、プロジェクター２の光源２８２として高圧水銀ランプ等の放電灯を例示したが、高輝度ＬＥＤや、レーザー光源等を採用することもできる。
【００５５】
また、上述した実施形態では、プロジェクター２の分離光学系２８４を、ダイクロイックミラーを用いて構成する例を示したが、他の形態も可能である。例えば、カラーホイールを用いて分離光学系２８４を構成し、１個の光変調素子２８５を用いて、時分割的に各色光を変調することもできる。この場合、合成光学系２８６は不要となる。１個の光変調素子を用いる構成によれば、投射光学系の構造が簡素化されるため、安価なプロジェクターを提供することができる。
【００５６】
また、上述した実施形態では、図２（ｂ）に示すように、第１のＩＲ発光部１４ａ、第２のＩＲ発光部１４ｂおよび第３のＩＲ発光部１４ｃを備えたリモートコントローラー１を用いて本発明を説明したが、発明はこれに限定されるものではない。例えば、いわゆるモバイルプロジェクターにおいては、図５（ｂ）に示したような部屋の天井から吊り下げて使用される場面を想定する必要がないので、図２（ｃ）に示すリモートコントローラー１のように、図２（ｂ）のリモートコントローラー１の構成から第３のＩＲ発光部１４ｃを省いても、操作性が損なわれることはない。
【符号の説明】
【００５７】
１…リモートコントローラー、２…プロジェクター、１０…操作部、１１…ＣＰＵ、１２…記憶部、１２１…ＲＡＭ、１２２…ＲＯＭ、１３…電源、１４…ＩＲ発光部、１４ａ…第１のＩＲ発光部、１４ｂ…第２のＩＲ発光部、１４ｃ…第３のＩＲ発光部、１５…外装筐体、２０…操作部、２１…ＣＰＵ、２２…記憶部、２３…電源、２４…ＩＲ受光部、２４ａ…第１のＩＲ受光部、２４ｂ…第２のＩＲ受光部、２４ｃ…第３のＩＲ受光部、２５…画像信号入力部、２６…画像信号処理部、２７…光変調素子駆動部、２８…投射光学装置、２９…外装筐体、１０１…電源ボタン、１０２…ポインティングデバイス、１０３…電子ズームボタン、１０４…ページ送り・戻しボタン、１０５…音声ボリューム、１０６…ソース選択ボタン、１０７…ファンクションキー、２２１…ＲＡＭ、２２２…ＲＯＭ、２８１…光源駆動部、２８２…光源、２８３…照明光学系、２８４…分離光学系、２８５…光変調素子、２８６…合成光学系、２８７…投射レンズ、２８７１…フォーカスリング、２８７２…ズームリング、ＩＲ１…第１の範囲、ＩＲ２…第２の範囲、ＩＲ３…第３の範囲、ＳＣ…スクリーン。
【図１】
2012129683.tif 000003
【図３】
2012129683.tif 000004
【図４】
2012129683.tif 000005
【図５】
2012129683.tif 000006
【図６】
2012129683.tif 000007
【図２】
2012129683.tif 000008